(57)【特許請求の範囲】
【請求項１】
オートバイの１以上のアクセサリーに電源を接続するように構成された、前記オートバイの前記アクセサリーの機能を操作するための少なくとも１つの制御スイッチと、
前記制御スイッチによって実行される機能を示す少なくとも１つのシンボルを有する、少なくとも１つの機能シンボルインサートと、
少なくとも１つの照光用サブアセンブリと、を備えるオートバイ用の照光式ハンドルバースイッチモジュールであって、
前記少なくとも１つの照光用サブアセンブリは、
キャビティを画定するために、少なくとも１つの透光部を含む上面と、底面と、前記上面及び前記底面に隣接して位置付けられた側面とを有するリフレクタと；
前記リフレクタの前記キャビティに収容され、照光源が実装される面を有するプリント配線基板であって、前記少なくとも１つの透光部を含む上面が前記照光源によって照射された光を受光できるように、前記キャビティに収容されるプリント配線基板と；
前記プリント配線基板にハンダ付けされた接続ワイヤを延出するために、前記リフレクタの底面に設けられた穴と；
前記リフレクタの前記キャビティは、前記リフレクタの内側に前記プリント配線基板を収容するために前記リフレクタの前記側面の１つに配置された開口端を有すること；前記リフレクタが透明材料から形成され且つ不透明な材料のコーティングが前記底面と前記側面に設けられること；及び前記リフレクタは、光線を伝達する前記少なくとも１つの透光部に前記照光源から受光した光線を反射して導くように位置付けられた１以上の光反射面を備えることと；
前記穴を閉鎖するための前記穴の中に配置される閉鎖プラグであって、前記プリント配線基板と前記電源との電気的接続をするために接続ワイヤを突出させるための開口部を有する閉鎖プラグとを備え、
前記上面が前記機能シンボルインサートの真下に配置され、前記透光部を通った光線によって前記インサート上に配置された前記シンボルを照光できるように位置付けられることを特徴とするスイッチモジュール。
【請求項２】
請求項１記載のスイッチモジュールであって、
前記機能シンボルインサートは、ペースティング手段、ホットシーリング手段、締結手段及び超音波溶接手段から選択された手段によって前記スイッチモジュールに取り付けられることを特徴とするスイッチモジュール。
【請求項３】
請求項１記載のスイッチモジュールであって、
前記少なくとも１つの機能シンボルインサートは、インサート成形によって前記スイッチモジュールに取り付けられることを特徴とするスイッチモジュール。
【請求項４】
請求項１〜３のいずれか１項に記載のスイッチモジュールであって、
前記少なくとも１つの機能シンボルインサートは、前記シンボルがスクリーン印刷されたシートを備えることを特徴とするスイッチモジュール。
【請求項５】
請求項３又は４に記載のスイッチモジュールであって、
前記少なくとも１つのシンボルは、前記スイッチモジュールの内部にある前記機能シンボルインサートの前記シートの表面に配置されることを特徴とするスイッチモジュール。
【請求項６】
請求項５記載のスイッチモジュールであって、
前記開口端は、分離可能に前記リフレクタに固定されるカバーによって閉鎖されることを特徴とするスイッチモジュール。
【請求項７】
請求項１〜６のいずれか１項に記載のスイッチモジュールであって、
前記リフレクタは、前記キャビティの前記開口端から延び、前記プリント配線基板を摺動自在に収容するための２つの対向する側面に設けられた軌道を備えることを特徴とするスイッチモジュール。
【請求項８】
請求項１〜７のいずれか１項に記載のスイッチモジュールであって、
前記面に実装される照光源は発光ダイオードであることを特徴とするスイッチモジュール。
【請求項９】
請求項１〜８のいずれか１項に記載のスイッチモジュールであって、
前記上面は、前記機能シンボルインサート上に配置された２つのシンボルを照光するために２つの透光部を備えることを特徴とするスイッチモジュール。
【請求項１０】
請求項１〜９のいずれか１項に記載のスイッチモジュールであって、
前記閉鎖プラグはゴム製のグロメットであることを特徴とするスイッチモジュール。
【請求項１１】
請求項１０記載のスイッチモジュールであって、
前記ゴム製のグロメットは、前記穴に設けられた、対応するスレッドに螺合することを特徴とするスイッチモジュール。
【請求項１２】
請求項１〜１１のいずれか１項に記載のスイッチモジュールであって、
前記照光用サブアセンブリは、締結手段を用いて前記スイッチモジュールに前記照光用サブアセンブリを接続するための接続アームを備えることを特徴とするスイッチモジュール。
【請求項１３】
請求項１〜１２のいずれか１項に記載のスイッチモジュールであって、
前記リフレクタはファスナを挿入するための穴を有する接続アームが備え付けられた少なくとも１つの突起を備え、前記スイッチモジュールの内部は前記ファスナと協動するためのねじ付きプラグが備え付けられることにより、前記照光用サブアセンブリを前記スイッチモジュールの内部と接続することを特徴とするスイッチモジュール。
【請求項１４】
請求項１〜１３のいずれか１項に記載のスイッチモジュールであって、
前記照光用サブアセンブリから延びる前記接続ワイヤは、前記プリント配線基板及び前記照光源を前記電源に接続するために、前記スイッチモジュールの内部に収容される電子制御ユニットに結合されることを特徴とするスイッチモジュール。
【請求項１５】
請求項１４記載のスイッチモジュールであって、
前記電子制御ユニットは、複数のレジスタが実装されたプリント配線基板と、１以上のコンデンサと、電圧降下及び電流調整を提供する集積回路とを備えることを特徴とするスイッチモジュール。
【請求項１６】
請求項１４又は１５に記載のスイッチモジュールであって、
前記電子制御ユニットは、前記スイッチモジュールの内部の容器に収容されることを特徴とするスイッチモジュール。
【請求項１７】
キャビティを画定するために、少なくとも１つの透光部を含む上面と、底面と、前記上面及び前記底面に隣接して位置付けられた側面とを有するリフレクタと；
前記リフレクタのキャビティに収容され、照光源が実装される面を有するプリント配線基板であって、前記少なくとも１つの透光部を含む上面が前記照光源によって照射された光を受光できるように、前記キャビティに収容されるプリント配線基板と；
前記プリント配線基板にハンダ付けされた接続ワイヤを延出するために、前記リフレクタの底面に設けられた穴と；
前記リフレクタの前記キャビティは、前記リフレクタの内側に前記プリント配線基板を収容するために前記リフレクタの前記側面の１つに配置された開口端を有すること；前記リフレクタが透明材料から形成され且つ不透明な材料のコーティングが前記底面と前記側面に設けられること；及び前記リフレクタは、光線を伝達する前記少なくとも１つの透光部に前記照光源から受光した光線を反射して導くように位置付けられた１以上の光反射面を備えることと；
前記穴を閉鎖するための前記穴の中に配置される閉鎖プラグであって、前記プリント配線基板と前記電源との電気的接続をするために接続ワイヤを突出させるための開口部を有する閉鎖プラグとを備えることを特徴とする照光式スイッチモジュール用の照光用サブアセンブリ。
【請求項１８】
請求項１に記載の照光式スイッチモジュールであって、
前記照光式スイッチモジュールはこのモジュールに配置される容器に収容される電子制御ユニットとを備え、前記電子制御ユニットは電源と前記プリント配線基板とを接続するように構成されていることを特徴とするスイッチモジュール。
【発明の詳細な説明】
【技術分野】
【０００１】
本発明は、二輪車／三輪車／全地形対応車（all terrain vehicles）用のハンドルバースイッチモジュールに関する。特に、本発明は、照光式スイッチモジュールに関し、より詳細には、本発明は、シンボルを用いたオートバイ用の照光式ハンドルバースイッチモジュールに関する。
【背景技術】
【０００２】
二輪車又は三輪車は、スムーズな操作、安全運転、そして、運転中に他の運転手に指示を知らせるための多様な機能を実行する、多様な電気／電子部品を含む。これらの機能のいくつかは、ヘッドランプのＯＮ−ＯＦＦ−駐車中ＯＮ、エンジンスタート、エンジン停止、ヘッドランプ切換（dipper）又はハイ−ロウ、プッシュキャンセル式方向指示器、ホーン、パッシング等を含む。
【０００３】
これらの機能は、バッテリーを介して複数の制御スイッチに順番に取り付けられた制御ボタンを実行することによって達成される。通常、少なくとも１つの制御スイッチを収納するモジュールは、二輪車又は三輪車のハンドルバーに取り付けられる。より具体的には、頻繁に使用される機能、例えば、ホーン、ヘッドランプ切換、点滅、方向指示器等のための制御スイッチは、第１スイッチング・モジュール（又は、二者択一的に、左側スイッチング・モジュールと呼ばれる）の形でまとめられ、ハンドルバーの左側に取り付けられる。同様に、頻繁ではないが使用される機能、例えば、エンジン停止、エンジンスタート、ヘッドランプのＯＮ−ＯＦＦ等のための制御スイッチは、ハンドルバーの右側に取り付けられる第２スイッチング・モジュール（又は、二者択一的に、右側スイッチング・モジュールと呼ばれる）の形でまとめられる。
【０００４】
スイッチモジュールの各々は、１以上の制御スイッチを収容できる。制御スイッチは、接触型スイッチ又は非接触型スイッチであってもよい。言い換えれば、制御スイッチは電気スイッチ又は電子スイッチであってもよい。
【０００５】
スイッチング・モジュールは複数のスイッチを収容でき、複数のスイッチの各々は異なる機能を提供するので、ユーザーが特定の制御スイッチの機能を容易に識別できるために、各制御スイッチは、前記スイッチの起動によって実行される機能を示す、（別名、認証シンボル（homologation symbol）という）固有のシンボルを持っている。現在、これらのシンボルは、自動車産業を通じて認識される標準シンボルになっている。図１（ａ）は従来の左側スイッチング・モジュールを、図１（ｂ）は従来の右側スイッチング・モジュールを示す。図１（ａ）及び図１（ｂ）から分かるように、シンボルはそれぞれの制御スイッチに隣り合うか、その上のいずれかに配置される。
【０００６】
通常、シンボルの大部分は、コンソールの表面又は制御スイッチの制御ボタンの上に、印刷されるか、貼付されるか、ペンキで塗りつぶされるか、又はエンボス加工されるかのいずれかである。しかしながら、制御スイッチ上に描かれたシンボルは、十分ではない照光レベルの運転中（例えば、夜間）、運転手に見えない。また、前記シンボルは、ＵＶ光、雨水、雨水中の塩分、潤滑油、油、埃、他の汚染物質等の積み重なった影響により、時間の経過に伴い、感度が鈍くなったり、又は、腐食したりする。
【０００７】
稀に従来の二輪車において、シンボルが、スイッチ・コンソールの表面上に貼付又は接着されたプラスチックシート上に印刷される。シートは、環境、例えば、水、ＵＶ線、埃等の、個別又は組み合わさった影響により、製品が屋外で頻繁に使用されるうちに、ダメージを受けて剥がれる。
【０００８】
最近の技術進歩は、二輪車のハンドルバースイッチモジュールの内部に、シンボルの下に照光源を配置することによって、照光式の制御スイッチの開発をもたらした。従来の照光式スイッチにおいては、照光源は均一照射を提供しない。また、従来のスイッチの照光源は、振動、水、埃、及び、照光スイッチの寿命を短くし、メンテナンス費用が掛かる結果をもたらす他の汚染物質に対して保護されていない。
【０００９】
さらに、制御スイッチ内の照光源一式は、従来の二輪車のメイン制御ユニットによって制御される。メイン制御ユニットは一般的に、二輪車のヘッドランプの下、又は、シート領域の下に配置される。この点は、ワイヤハーネスの費用を増加させる。この点はまた、より長いワイヤハーネスの長さと、非常に多くのパーツを有する複雑で大型の電子制御ユニットと、水及び埃に対して電子制御ユニットを保護するための高い費用とにより、照光の費用を増加させ、カスタマイズの余地をなくす。パーツの数が多くなると、故障の機会も多くなる。
【００１０】
従って、従来のスイッチの上述の問題を解決する、照光式スイッチを開発する必要性がある。
【発明の概要】
【発明が解決しようとする課題】
【００１１】
本発明の主な目的は、二輪車又はオートバイのための照光式ハンドルバースイッチモジュールを提供することである。
【００１２】
本発明の他の目的は、シンボルの均一照射をもたらす、照光式ハンドルバースイッチモジュールのための照光用サブアセンブリを提供することである。
【００１３】
また、本発明の他の目的は、埃、水又は他の汚染物質から照光源を守り、また振動に耐え、そして、照光源の電気的接続を保護する、照光式ハンドルバースイッチモジュールのための照光用サブアセンブリを提供することである。
【００１４】
さらに、本発明の他の目的は、ＳＭＤ（表面実装型デバイス：surface mounted device）型照光源を含む照光用サブアセンブリを提供することである。
【００１５】
さらに、本発明の他の目的は、ワイヤ配索（wire routing）を簡素化し、ワイヤハーネスの長さを短くし、比較的電圧降下が少なく、制御ユニットと照光源出力装置（illumination source output）との間の防水コネクタの数を減らす、スイッチモジュール自身に電子制御ユニットを収容する、照光式ハンドルバースイッチモジュールを提供することである。
【００１６】
本発明のもう一つの目的は、スイッチモジュール自身にインサート成形され、かつ、外部環境状態における製品の厳しい使用からシンボルの寿命を向上させるために、インサートの内側からシンボルがスクリーン印刷された、機能シンボルインサート（function symbol insert）を提供することである。
【課題を解決するための手段】
【００１７】
本発明は、照光用サブアセンブリを有する照光式ハンドルバースイッチモジュールを提供する。照光用サブアセンブリは、ＳＭＤ型照光源と、レジスタと、リフレクタと、照光源を実装するためのプリント配線基板（ＰＣＢ：Printed Circuit Board）と、カバーと、完全にシールして、水、埃、及び他の汚染物質に対して保護するゴム製のグロメットとを備える。
【００１８】
レジスタと共に小型のＳＭＤ型照光源を備えるプリント配線基板は、手作業組立ではなく、全自動のＰＣＢ組立ラインで組み立てられることが可能である。レジスタと共に小型のＳＭＤ型照光源は、ピック・アンド・プレイス機械を用いて所定の位置にハンダ付けペーストを有するＰＣＢ上の所定の位置に実装される。ハンダ付けペーストは、ペースト印刷機を用いて、ＰＣＢ上に塗布される。次の工程で、実装されたＰＣＢは、ペーストを所定の温度で溶融し、ひいてはハンダ付けが完了する、リフロー炉を通る。続いて、光学検査機を用いてハンダ付け品質を検査する。操作全体は、手動操作と比較すると、ＰＣＢ上へのコンポーネントの実装時間を大幅に低減する。さらに、自動組立ラインを通じて達成されるハンダ付けの品質は、非常に安定し、良好である。
【００１９】
ＰＣＢアセンブリワイヤがオフラインで実行されるＰＣＢの入力パッド端でハンダ付けされた後、ワイヤと共にＰＣＢアセンブリ全体がリフレクタに挿入され、開口端でプラスチックカバーと溶接される。ゴム製のグロメットは、ワイヤ出口穴で、ワイヤと共に埋め込まれる。従って、ＰＣＢ上の照光源及びレジスタと、リフレクタと、プラスチックカバーと、ゴム製のグロメットとワイヤとを含む完成したアセンブリは、シールされる。
【００２０】
従って、本発明は、水、埃及び他の汚染物質に対して高寿命を達成するために、十分にシールされた照光式アセンブリを提供する。ＳＭＤ型照光源のサイズは小型である。本発明の実施形態によれば、ＳＭＤ型照光源のサイズは３×１．２×１ｍｍしかない。従って、より小型のパッケージングサイズのＳＭＤ又は他の照光式デバイスを、照光式アセンブリ内部のＰＣＢ上に直接配置することができる。
【００２１】
本発明の実施形態によれば、照光用サブアセンブリは、機能シンボルインサート上に設けられたシンボルを照光するため、機能シンボルインサートの下に直接配置される。
【００２２】
機能シンボルインサートのサイズ及び形状はそれぞれの機能シンボルインサートの下に配置されるリフレクタのサイズ及び形状を変化させるので、各照光用サブアセンブリの形状及びサイズは、他の照光用サブアセンブリと異なってもよい。照光用サブアセンブリのサイズ及び形状は、機能シンボルインサートの形状及びサイズと、それぞれのスイッチの内部の照光用サブアセンブリに使用できる実装空間（packaging space）と、左側スイッチモジュール及び右側スイッチモジュールの形状とによって決定される。
【００２３】
本発明の実施形態によれば、照光式ハンドルバースイッチモジュールは、１以上の機能シンボルインサートを備える。機能シンボルインサートでは、第１段階で、複数のシンボルが、透明なプラスチックシート上に、黒色インク（第１スクリーン）に続いて白色インク（第２スクリーン）で底部側からスクリーン印刷される。その後、シート上に印刷されたこれらのシンボルは、所望のレイアウト及びサイズに切断され、続いて、第１段階で要求される形状毎に切断されたシート各々の形成（処理）を行う。シート上に形成されたこれらのシンボルは、射出成形され、第２段階で機能シンボルインサートを形成する。前記機能シンボルインサートはさらに、第３段階で、スイッチモジュールと共にインサート成形される。機能シンボルインサートは、金型の中の所望の位置に配置される。これらのシンボルはシートの背面側から印刷されているので、シンボルは、厳しい外部使用の間、腐食せず、比較的消えない。また、これらのシンボルは、厳しい環境影響に対して高寿命を得て、そして、認証シンボルを印刷した従来のステッカー、又は、スイッチ・コンソール上に認証シンボルを印刷／ペンキ塗装／エンボス加工したパッドと異なり剥がれない。
【００２４】
本発明は、エンジンからもたらされる振動に耐えるのに十分に頑丈であり、また、振動吸収材（vibration dampener）として機能するゴム製のグロメットを使用することにより、振動に対する保護をハンダ接合点に提供する。本発明の照光式ハンドルバースイッチモジュールは、ハンダ接合点上の水、埃、及び他の汚染物質に対して、高寿命を有する。さらに、本発明は、UV線、塩水、埃、砂及び他の汚染物質の影響から、シンボルの寿命が延びるのを容易にする。
【００２５】
本発明の実施形態において、電子制御ユニット（ＥＣＵ）はスイッチモジュールの内部に収容される。ＥＣＵはＳＭＤ型照光源を有するＰＣＢへの電力供給を制御するように構成される。電子制御ユニットは照光式スイッチモジュールの照光機能を制御するために設けられる。
【図面の簡単な説明】
【００２６】
【図１】図１（ａ）及び図１（ｂ）はシンボルを有する従来のハンドルバースイッチモジュールを示す。
【図２】図２（ａ）及び図２（ｂ）は本発明の実施形態の照光式ハンドルバースイッチモジュールの例示的な図を示す。
【図３】図３（ａ）及び図（ｂ）は本発明の実施形態の照光式ハンドルバースイッチモジュール用機能シンボルインサートを示す。
【図４】図４は本発明の実施形態のスイッチモジュールの内部の機能シンボルインサートの配置を示す。
【図５】図５（ａ）及び図５（ｂ）は本発明の実施形態の分解された照光用サブアセンブリ（５）を示す。
【図６】図６は本発明の実施形態のリフレクタを示す。
【図７】図７は本発明の実施形態のＳＭＤ型ＬＥＤを備えたＰＣＢを示す。
【図８】図８（ａ）及び図８（ｂ）は本発明の実施形態の照光用サブアセンブリの完成図を示す。
【図９】図９（ａ）〜図９（ｅ）は本発明の実施形態の照光用サブアセンブリの異なる形状及びサイズを示す。
【図１０】図１０は本発明の実施形態の、電子制御スイッチを収容する照光式ハンドルバースイッチモジュールを示す。
【図１１】図１１は本発明の実施形態の、電子制御スイッチを収容する照光式ハンドルバースイッチモジュールを示す。
【図１２】図１２は本発明の実施形態の、照光式ハンドルバースイッチモジュールの断面図を示す。
【図１３】図１３は本発明の実施形態の、照光式ハンドルバースイッチモジュールの断面図を示す。
【図１４】図１４は本発明の実施形態の、照光式ハンドルバースイッチモジュールの断面図を示す。
【図１５】図１５は本発明の実施形態の、照光式ハンドルバースイッチモジュールの断面図を示す。
【図１６】図１６は本発明の実施形態の、完成した左側照光式ハンドルバースイッチモジュールの底面図を示す。
【図１７】図１７は本発明の実施形態の、完成した左側照光式ハンドルバースイッチモジュールの断面図を示す。
【図１８】図１８は本発明の実施形態の照光式ハンドルバースイッチモジュールを備えるオートバイのハンドルバーを示す。
【発明を実施するための形態】
【００２７】
本発明は、
オートバイの１以上のアクセサリーに電源を接続するように構成された、前記オートバイの前記アクセサリーの機能を操作するための少なくとも１つの制御スイッチと、
前記制御スイッチによって実行される機能を示す少なくとも１つのシンボルを有する、少なくとも１つの機能シンボルインサートと、
少なくとも１つの照光用サブアセンブリと、を備えるオートバイ用の照光式ハンドルバースイッチモジュールであって、
前記少なくとも１つの照光用サブアセンブリは、
キャビティを画定するために、少なくとも１つの透光部を含む上面と、底面と、前記上面及び前記底面に隣接して位置付けられた側面とを有するリフレクタと；
前記リフレクタの前記キャビティに収容され、照光源が実装される面を有するプリント配線基板であって、前記少なくとも１つの透光部を含む上面が前記照光源によって照射された光を受光できるように、前記キャビティに収容されるプリント配線基板と；
前記プリント配線基板にハンダ付けされた接続ワイヤを延出するために、前記リフレクタの底面に設けられた穴と；
前記リフレクタの前記キャビティは、前記リフレクタの内側に前記プリント配線基板を収容するために前記リフレクタの前記側面の１つに配置された開口端を有すること；前記リフレクタが透明材料から形成され且つ不透明な材料のコーティングが前記底面と前記側面に設けられること；及び前記リフレクタは、光線を伝達する前記少なくとも１つの透光部に前記照光源から受光した光線を反射して導くように位置付けられた１以上の光反射面を備えることと；
前記穴を閉鎖するための前記穴の中に配置される閉鎖プラグであって、前記プリント配線基板と前記電源との電気的接続をするために接続ワイヤを突出させるための開口部を有する閉鎖プラグとを備え、
前記上面が前記機能シンボルインサートの真下に配置され、前記透光部を通った光線によって前記インサート上に配置された前記シンボルを照光できるように位置付けられることを特徴とするスイッチモジュールを提供する。
【００２８】
本発明の実施形態において、前記機能シンボルインサートは、ペースティング（pasting）手段、ホットシーリング（hot sealing）手段、締結（fastening）手段及び超音波溶接（ultrasonic welding）手段から選択された手段によって前記スイッチモジュールに取り付けられる。
【００２９】
本発明の他の実施形態において、前記少なくとも１つの機能シンボルインサートは、インサート成形によって前記スイッチモジュールに取り付けられる。
【００３０】
本発明のさらに他の実施形態において、前記少なくとも１つの機能シンボルインサートは、前記シンボルがスクリーン印刷されたシートを備える。
【００３１】
本発明のさらに他の実施形態において、前記少なくとも１つのシンボルは、前記スイッチモジュールの内部にある前記機能シンボルインサートの前記シートの表面に配置される。
【００３２】
【００３３】
本発明のさらに他の実施形態において、前記開口端は、分離可能に前記リフレクタに固定されるカバーによって閉鎖される。
【００３４】
本発明の他の実施形態において、前記リフレクタは、前記キャビティの前記開口端から延び、前記プリント配線基板を摺動自在に収容するための２つの対向する側面に設けられた軌道を備える。
【００３５】
本発明のさらに他の実施形態において、前記面に実装される照光源は発光ダイオード（ＬＥＤ）である。
【００３６】
【００３７】
本発明の他の実施形態において、前記上面は、前記機能シンボルインサート上に配置された２つのシンボルを照光するために２つの透光部を備える。
【００３８】
本発明のさらに他の実施形態において、前記閉鎖プラグはゴム製のグロメットである。
【００３９】
本発明のさらに他の実施形態において、前記ゴム製のグロメットは、前記穴に設けられた、対応するスレッドに螺合する。
【００４０】
本発明のさらに他の実施形態において、前記照光用サブアセンブリは、締結手段を用いて前記スイッチモジュールに前記照光用サブアセンブリを接続するための接続アームを備える。
【００４１】
本発明のさらに他の実施形態において、前記リフレクタはファスナ（fastener）を挿入するための穴を有する接続アームが備え付けられた少なくとも１つの突起を備え、前記スイッチモジュールの内部は前記ファスナと協動するためのねじ付きプラグが備え付けられることにより、前記照光用サブアセンブリを前記スイッチモジュールの内部と接続する。
【００４２】
本発明の他の実施形態において、前記照光用サブアセンブリから延びる前記接続ワイヤは、前記プリント配線基板と前記電源を有する前記照光源とを接続するために、前記スイッチモジュールの内部に収容される電子制御ユニットに結合される。
【００４３】
本発明のさらに他の実施形態において、前記電子制御ユニットは、複数のレジスタが実装されたプリント配線基板と、１以上のコンデンサと、電圧降下及び電流調整（current conditioning）を提供する集積回路とを備える。
【００４４】
本発明のさらに他の実施形態において、前記電子制御ユニットは、前記スイッチモジュールの内部の容器に収容される。
【００４５】
本発明の実施形態は、
キャビティを画定するために、少なくとも１つの透光部を含む上面と、底面と、前記上面及び前記底面に隣接して位置付けられた側面とを有するリフレクタと；
前記リフレクタのキャビティに収容され、照光源が実装される面を有するプリント配線基板であって、前記少なくとも１つの透光部を含む上面が前記照光源によって照射された光を受光できるように、前記キャビティに収容されるプリント配線基板と；
前記プリント配線基板にハンダ付けされた接続ワイヤを延出するために、前記リフレクタの底面に設けられた穴と；
前記リフレクタの前記キャビティは、前記リフレクタの内側に前記プリント配線基板を収容するために前記リフレクタの前記側面の１つに配置された開口端を有すること；前記リフレクタが透明材料から形成され且つ不透明な材料のコーティングが前記底面と前記側面に設けられること；及び前記リフレクタは、光線を伝達する前記少なくとも１つの透光部に前記照光源から受光した光線を反射して導くように位置付けられた１以上の光反射面を備えることと；
前記穴を閉鎖するための前記穴の中に配置される閉鎖プラグであって、前記プリント配線基板と前記電源との電気的接続をするために接続ワイヤを突出させるための開口部を有する閉鎖プラグとを備えることを特徴とする照光式スイッチモジュール用の照光用サブアセンブリを提供する。
【００４６】
本発明はまた、
請求項１に記載の照光式スイッチモジュールであって、
前記照光式スイッチモジュールはこのモジュールに配置される容器に収容される電子制御ユニットとを備え、前記電子制御ユニットは電源と前記プリント配線基板とを接続するように構成されていることを特徴とするスイッチモジュールを提供する。
【００４７】
本発明を、図面及び具体的な実施形態を参照して説明する。この説明により、制限的な意味に構成されることは意味しない。本発明の様々な別の実施形態が、本発明の記載を参照することにより、当業者に明らかになる。従って、そのような別の実施形態は本発明の一部を形成すると考えられる。
【００４８】
図２（ａ）及び図２（ｂ）は、本発明の実施形態の照光式ハンドルバースイッチモジュールの例示的な図を示す。図２（ａ）に示されたスイッチモジュールは、オートバイの左側スイッチモジュールである。図２（ｂ）に示されたスイッチモジュールは、オートバイの右側スイッチモジュールである。
【００４９】
照光式ハンドルバースイッチモジュールは、制御スイッチによって実行される機能を示す少なくとも１つのシンボルを備える、少なくとも１つの機能シンボルインサートを有する。図２（ａ）及び図２（ｂ）で示されるように、照光式ハンドルバースイッチモジュール（１）は、左側スイッチモジュールに、例えば、ヘッドランプ切換、方向指示、ホーン等の照光式シンボル（３）と、右側スイッチモジュールに、例えば、エンジン停止、メイン（main）エンジン、エンジンスタート等の照光式シンボル（３）とを有する、機能シンボルインサート（２）を備える。図２（ａ）及び図２（ｂ）で示されるように、機能シンボルインサート（２）は、それぞれの制御スイッチ（４）に隣り合って配置される。明確に理解されるように、スイッチモジュールは１以上の制御スイッチ（４）が取り付けられる。同様に、機能シンボルインサート（２）の数は、１以上であってよい。図２（ａ）及び図２（ｂ）から分かるように、各制御スイッチ（４）に対して、別個の機能シンボルインサート（２）が制御スイッチ（４）に隣り合って位置付けられ、提供され得る。機能シンボルインサート（２）のシンボル（３）の数は１以上であり、シンボルの数を要求に応じて決定することができる。例えば、方向指示に関する機能シンボルインサートは２つのシンボルを備え、ホーンに関する機能シンボルインサートは一つのシンボルを備え、そして、ヘッドライトに関する機能シンボルインサートは３つのシンボルを備える。
【００５０】
機能シンボルインサートは、シート上に印刷又はエンボス加工された１以上のシンボルを有するシートであってもよい。インサートは、ペースティング、ホットシーリング、締結又は超音波溶接によって、又は他の適切な方法によって、スイッチモジュールに取り付けられてもよい。
【００５１】
本発明の実施形態において、機能シンボルインサートは、シンボルがスクリーン印刷されたシートを備える。機能シンボルインサートは、シンボルがスクリーン印刷されるシート表面がスイッチモジュールの内部にあるような、インサート成形によってスイッチモジュールに取り付けられる。そのような機能シンボルインサートは、シンボルがスクリーン印刷される透明なシートを準備し、次いで、シンボルが印刷されるシートの部分をマスクしながら、黒色インクでシートをコーティングすることによって作成されることが明らかに理解できる。従って、光は、そのような機能シンボルインサートに作用し、シンボルがスクリーン印刷される部分からのみ透過する。
【００５２】
図３（ａ）及び図３（ｂ）は、本発明の実施形態の照光式ハンドルバースイッチモジュール（１）用の機能シンボルインサート（２）を示す。
【００５３】
図３（ａ）及び図３（ｂ）が示すように、前記のシンボル（３）は、透明なプラスチックシート上に背面から黒色インクによりスクリーン印刷され、続いて、白色インクによって印刷される。シンボル又はシンボル一式を備える部分は、前記シートから所望の形状及びサイズに切り取られ、その後、形成処理が続く。シート上に形成されたシンボルは成形され、機能シンボルインサート（２）を形成する。明らかに理解できるように、例えば、方向指示、ヘッドランプ切換、ホーン、メインエンジン又はライト、エンジン停止、イグニッションスタート等のために、異なる機能シンボルインサートは異なる形状及びサイズを有する。
【００５４】
図４は、機能シンボルインサート（２）が、スイッチモジュール（１）を形成するように、射出成形工程の間、所望の位置で射出成形金型の内部に配置されることを示す。
【００５５】
明らかに理解できるように、機能シンボルインサートの上面よりもむしろスイッチモジュールの内側にある機能シンボルインサートの表面に、シンボルがスクリーン印刷されるため、例えば、水、埃、にわか雨、塩分、又は、紫外線放射等の環境因子によって、シンボルは影響されない。
【００５６】
シンボルは、照光用サブアセンブリを利用して照光され、又は裏から照らされ、十分ではない照光レベルの環境下、ハンドルバー制御スイッチの美的価値（aesthetic value）を向上させる。従って、ボタン又は制御スイッチの位置は、運転中、より分かり易くなる。
【００５７】
本発明の実施形態において、照光式ハンドルバースイッチモジュールは、１以上の照光用サブアセンブリを備える。
【００５８】
図５（ａ）及び図５（ｂ）は、本発明の実施形態の分解された照光用サブアセンブリ（５）を示す。図５（ａ）及び図５（ｂ）に示されるように、照光用サブアセンブリは、ＳＭＤ型照光源（８）を有するプリント配線基板（７）を収容するリフレクタ（６）を備える。図６は本発明の実施形態のリフレクタ（６）を、図７は本発明の実施形態のＳＭＤ型照光源（８）を備えたプリント配線基板（７）を示す。
【００５９】
図５（ａ）、図５（ｂ）、図６及び図７に関して、リフレクタ（６）は、キャビティ（１２）を画定するために、上面（９）と、底面（１０）と、側面（１１）とを備える。リフレクタ（６）の上面（９）は、少なくとも１つの透光部を備える。２つ以上の透光部をリフレクタの上面（９）に配置することができる。代わりに、上面（９）全体を透光部として形成することもできる。リフレクタ（６）は適当な透明材料で構成され、そして、不透明な材料のコーティングが、１以上の透光部を形成するために、上面（９）の所望の部分をマスクしながら、上面、底面及び側面の内側に設けられる。キャビティ（１２）は、プリント配線基板を収容するためのリフレクタ（６）の側面の一方に配置される閉口端（１３）及び開口端（１４）を有する。開口端（１４）を、取り外し可能にリフレクタに固定されたカバー（１５）によって閉鎖することができる。代わりに、取り外し可能にリフレクタ（６）に固定されたカバー（１５）は、リフレクタの一方の側面（１１）を形成する。従って、リフレクタ（６）からカバー（１５）を取り外すことにより、キャビティ内部にプリント配線基板を収容するために使用される開口端（１４）を形成する。リフレクタ（６）は、開口端（１４）から閉口端へ延びるように位置付けられ、リフレクタの対向する２つの側面に配置される２つの軌道（１６）（図６を参照）を備える。
【００６０】
図５（ａ）及び図６に示すように、リフレクタ（６）の底面（１０）は、電源とプリント配線基板とを電気的接続をするために、穴（bore）（１７）を備える。穴（１７）はプリント配線基板にハンダ付けされた接続ワイヤ（１８）を延出するために用いられる。穴（１７）は閉鎖プラグ（１９）を用いて閉鎖される。閉鎖プラグ（１９）は、プリント配線基板にハンダ付けされる接続ワイヤ（１８）を延出するための開口部（apertures）（２０）を備える。図５（ａ）及び図５（ｂ）に示すように、閉鎖プラグ（１９）は、リフレクタの穴（１７）に設けられた対応するスレッドと係合するためのスレッド（２１）を有する。本発明の実施形態において、閉鎖プラグ（１９）は、ゴムから作られ、又は、閉鎖プラグ（１９）はゴム製のグロメットである。
【００６１】
図７は、ＳＭＤ型照光源を備えるプリント配線基板（ＰＣＢ）（７）を示す。本発明の実施形態において、照光源（８）は発光ダイオード（ＬＥＤ）である。レジスタと共にＳＭＤ型ＬＥＤは、全自動のＰＣＢ組立ラインでプリント配線基板上に表面実装される。ＳＭＤは、ピック・アンド・プレイス機械を用いて所定の位置にハンダ付けペーストを有するプリント配線基板上に所定の位置に実装される。ハンダ付けペーストは、ペースト印刷機を用いて、ＰＣＢ上に塗布される。コンポーネントがプリント配線基板上の所定の位置に配置されると、所定の温度のリフロー炉を通り、ハンダ付けペーストを溶融し、プリント配線基板の接合点に塗布される。続いて、ＰＣＢ組立ラインの光学検査機を用いて検査され、最終的にサブアセンブリは取り外される。入力ワイヤ又は接続ワイヤ（１８）は、プリント配線基板に接続され、又はハンダ付けされる（オフライン）。
【００６２】
ゴム製のグロメットは、水、埃、油、潤滑油、又は他の汚染物質がリフレクタ（６）の内部又はプリント配線基板上に入るのを防止するために、穴（１７）を閉鎖する。最終的に、サブアセンブリ全体は、リフレクタにおけるキャビティ（１２）の開口端（１４）をカバー（１５）を介して閉鎖することによってシールされる。カバー（１５）を透明なリフレクタと接続することができる。
【００６３】
図８（ａ）及び図８（ｂ）は、本発明の実施形態の照光用サブアセンブリの完成図を示す。図８（ａ）及び図８（ｂ）から分かるように、プリント配線基板（７）は、上面（９）の透光部が照光源から照射される光を受光することができるように、リフレクタ（６）に収容される。リフレクタ（６）の上面（９）が機能シンボルインサート（２）の真下に配置されることにより、インサート上に配置されたシンボルを照光できるように、照光用サブアセンブリは位置付けられる。上面の透光部に光線を導くことができるように、リフレクタは１以上の反射面を備えてもよく、あるいは、リフレクタ（６）の複数の面は光反射物質で塗布されてもよい。図８（ａ）及び図８（ｂ）に示すように、接続アーム（６ａ）は、締結手段を用いて、スイッチモジュール内に照光用サブアセンブリを接続する。
【００６４】
機能シンボルインサートは、個別の照光用サブアセンブリを備える。サブアセンブリは、スイッチ・コンソールの内部の各機能シンボルインサートの下に配置される。リフレクタ構造、リフレクタの上面構造及びプリント配線基板のサイズは、スイッチ・コンソール内部の利用可能な実装空間及びリフレクタの形状に応じて、照光用サブアセンブリによって異なる。従って、リフレクタの形状及びサイズは、その下に照光用サブアセンブリが位置付けられる機能シンボルインサートの表面領域と、照光用サブアセンブリに利用可能な実装空間と、光源と照光される面との間の距離とにより決定される。従って、ヘッドランプ切換、方向指示、ホーン、スタート、メインエンジン又はライト、イグニッションスタート、エンジン停止等のためのリフレクタの形状及びサイズは、それぞれ異なってもよい。
【００６５】
図９（ａ）〜図９（ｅ）は、各機能シンボルインサートの真下に配置される照光用サブアセンブリ（５）（機能シンボルインサート（２），リフレクタ（６）を有する）の異なる形状及びサイズを示す。
【００６６】
図１０のように、本発明の実施形態によれば、電子制御ユニット（ＥＣＵ）（２２）は、スイッチモジュール内部に収容される。ＥＣＵは、電源からＳＭＤ型照光源を備えるプリント配線基板（７）への電流経路に配置される。本発明の実施形態において、ヘッドランプがスイッチを入れられると、電子制御ユニット（２２）を介して、電源からＳＭＤ型照光源（８）を備えるプリント配線基板への電流が流れる。しかしながら、照光用サブアセンブリに電源のスイッチを入れるために、独立したスイッチを備えることができる。電子制御ユニットは、サージ電流及び過渡電圧、逆極性及びバッテリー排水（battery drainage）に対して、照光用サブアセンブリに様々な保護を提供する。
【００６７】
図１０は、本発明の実施形態の、電子制御ユニットを収容する照光式ハンドルバースイッチモジュールを示す。スイッチモジュール内部の電子制御ユニットの配置により、ワイヤハーネスの長さを短縮し、防水コネクタの数を少なくする。スイッチモジュール内に電子制御ユニット（ＥＣＵ）（２２）を配置しているので、ワイヤ配索を簡素化し、ワイヤの長さを短縮させることによりシステムの全体コストを低減する。
【００６８】
本発明の実施形態において、電子制御ユニット（ＥＣＵ）（２２）は、複数のレジスタが実装されたプリント配線基板（ＰＣＢ）と、１以上のコンデンサと、電圧降下及び電流調整を提供する集積回路とを備える。ＥＣＵ（２２）は、ＰＣＢの両面上に配置された電気及び／又は電子コンポーネントを含むプリント配線基板を有する。これらのコンポーネントは、入力電圧を１２ボルトから３ボルト又は照光用サブアセンブリに要求される電圧に降下するための集積回路を含むが、これに限定されない。１以上のコンデンサは、運転中に発生するスパイク（spike）を除去するために、入力端及び出力端でプリント配線基板上に取り付けられる。この点により、サージ電流及び過渡電圧電流から回路を保護する。プリント配線基板の他面では、１以上のレジスタ（各ＳＭＤ型ＬＥＤに対して１つのレジスタ）が、電流を下げるために、すなわち、アンペアからミリアンペアに下げるために、直列に配置される。少なくとも１つのパッドが、照光用サブアセンブリ又はＳＭＤ型ＬＥＤへの出力として、プリント配線基板上に定められる。パッドの数は、照光用サブアセンブリの数に基づいて、増加又は減少させられることが可能である。照光用サブアセンブリからの出力ワイヤは直接、これらのパッドにハンダ付けされる。
【００６９】
本発明の実施形態において、電子制御ユニットは、照光機能のみを制御する専用電子制御ユニットである。電子制御ユニットは、サイズが小さくなり、スイッチモジュールの内部に収容される。図１０は、本発明の実施形態のスイッチモジュール内の電子制御ユニットパッケージの例示的な図を示す。図１０に示されるように、スイッチモジュールは電子制御ユニットを収容するために容器（２３）を備える。図１０に示されるように、容器（２３）は開口端（２４）及び閉口端（２５）を有する。電子制御ユニット（２２）は、容器の開口端から収容される。図１０から分かるように、容器（２３）は、矩形の側面を有する箱型構造である。２つの軌道（２６）が、電子制御ユニット（２２）を摺動自在に容器（２３）に収容できるように、２つの対向する側面に設けられる。軌道は、開口端から閉口端に延びる。容器（２３）の開口端は、電子制御ユニット（２２）とＬＥＤ及び電源との電気的接続をさせるワイヤ配索のために使用される。図１１から分かるように、電気的接続をするワイヤハーネスは、容器の開口端から延出する。容器（２３）の開口端を、エポキシ樹脂及び／又はシーラント材の埋め込みによって密閉することができる。容器（２３）の開口端はまた、カバーと、カバーと開口端との間に配置されるゴム製のグロメットとによって密閉されることもできる。カバー及び開口端は、ワイヤハーネスを延出するために開口部を備えることもできる。
【００７０】
本発明の実施形態において、前記電子制御ユニット（２２）は容器（２３）内に滑らかに挿入され、ワイヤは容器の開口端から外側に配線される。続いて、容器内の電子制御ユニット（２２）上に、エポキシ樹脂又はシーラント材が埋め込まれる。埋め込みにより、水、埃、ＵＶ放射、又は、他の汚染物質が電子制御ユニット内に入るのを防止する。埋め込みはまた、エンジンからもたらされる振動の影響から、前記電子制御ユニット（２２）を保護する。
【００７１】
図１１は、本発明の実施形態の、スイッチモジュール内部に容器を有する電子制御ユニットのアセンブリを示す。図１０及び図１１に示されるように、スイッチモジュールの内部は、容器を収容するように、構成されている。容器とスイッチモジュールの内部とは、容器とスイッチモジュールの内部とを接続する手段を備えることができる。
【００７２】
図１１に示されるように、電子制御ユニットから出るワイヤは、各ＬＥＤに配線される。左側スイッチモジュールと右側スイッチモジュールの両方は、それぞれのスイッチモジュール内部に取り付けられた別個の電子制御ユニットを備える。しかしながら、１つの電子制御ユニットを、左側スイッチモジュールと右側スイッチモジュールの両方の照光を制御するために使用することができる。前記電子制御ユニットを、左側スイッチモジュール内、又は、右側スイッチモジュール内のいずれかに取り付けることができる。他方の制御スイッチ上のＬＥＤは、防水コネクタを介して同じ電子制御ユニットから入力電流を受ける。これにより、ワイヤハーネスの長さと、両スイッチ間のワイヤ防水コネクタの数とを節約する。
【００７３】
図１２は、本発明の実施形態の、照光用サブアセンブリ及び機能シンボルインサートを備える左側スイッチモジュールアセンブリの、上部の断面図である。図１２に示されるように、ヘッドランプ切換機能シンボルインサート（２７）及び点滅機能シンボルインサート（２８）は、スイッチモジュールの上半分にインサート成形される。点滅照光用サブアセンブリ（２９）及びヘッドランプ切換照光用サブアセンブリ（３０）は、ファスナ（fastener）を介して、上側のスイッチモジュールを備える各機能シンボルインサートの真下に取り付けられる。ヘッドランプ切換制御スイッチ、パッシング制御スイッチ及びホーン制御スイッチは、左側スイッチモジュールの上半分にパッケージされる。
【００７４】
図１３は、本発明の実施形態の、照光用サブアセンブリ及び機能シンボルインサートを備える左側スイッチモジュールの下半分の断面図である。ホーン機能シンボルインサート（３１）は、スイッチモジュールの下半分にインサート成形される。ホーン照光用サブアセンブリ（３２）は、ファスナを介して、スイッチモジュールの下半分内の機能シンボルインサート（３１）の真下に取り付けられる。ホーン制御スイッチ及び点滅制御スイッチは、左側スイッチモジュールの下半分内にパッケージされる。
【００７５】
図１４は、本発明の実施形態の、ライト照光用サブアセンブリ（３３）及びエンジン停止照光用サブアセンブリ（３４）とそれぞれの機能シンボルインサート（３５，３６）を備える右側スイッチモジュールの上半分の断面図である。
【００７６】
図１５は、スタート照光用サブアセンブリ（３７）及び機能シンボルインサート（３８）を備える右側スイッチモジュールの下半分の断面図である。この図はまた、右側スイッチアセンブリ下部のスイッチ・コンソールの内部の電子制御ユニット（２２）の容器（２３）を示す。
【００７７】
図１６は、本発明の実施形態の、完成した左側照光式ハンドルバースイッチモジュールの底面図を示す。図１６から、様々なパーツがスイッチモジュールの上半分の内部に一緒にどのようにパッケージされているかが分かる。図１６に示されるように、点滅照光用サブアセンブリはスイッチモジュール内にパッケージされ、ヘッドランプ切換照光用サブアセンブリはヘッドランプ切換制御スイッチと共にパッケージされる。パッシング制御スイッチもその中にパッケージされるが、パッシング機能シンボルインサートが運転中背面にあり、運転手に見難いので、パッシング照光用サブアセンブリは、当該モジュール内には備えられていない。
【００７８】
図１７は、左側照光式ハンドルバースイッチモジュールの断面図である。図１７に示すように、照光式ハンドルバースイッチモジュールは、ヘッドランプ切換照光用サブアセンブリ（３０）と点滅照光用サブアセンブリと、ホーン照光用サブアセンブリ（３２）と、上半分及び下半分の中のスイッチモジュール内の所定の位置にインサート成形されたそれぞれの認証シンボル（homologation symbol）とを含む。スイッチモジュールはまた、ヘッドランプ切換制御スイッチと、点滅制御スイッチと、ホーン制御スイッチと、パッシング制御スイッチとを含む。全てのサブアセンブリは、ワイヤ配索を含む上半分及び下半分の中のスイッチモジュールの内部にパッケージングされる。スイッチモジュールの上半分及び下半分のいずれも、取り付け用ねじを用いて互いに固定される。
【００７９】
図１８は、本発明の実施形態の照光式ハンドルバースイッチモジュールを備えるオートバイのハンドルバーを示す。図１４に示すように、左側スイッチモジュール（３９）は、ヘッドランプ切換、点滅及びホーン用の機能シンボルインサートを有し、右側スイッチモジュール（４０）は、エンジン停止、メインエンジン及びスタート用の機能シンボルインサートを有する。電子制御ユニットは、右側スイッチモジュール（４０）に提供される。左側制御スイッチの雄型防水コネクタ（４２）と接続する雌型防水コネクタ（４１）は、左側スイッチモジュールのＬＥＤについて接続を提供する。
【００８０】
本発明の照光用サブアセンブリは、全ての機能シンボルインサート上への均一な照光を提供する。リフレクタの内部に取り付けられたＳＭＤ型ＬＥＤを備えるプリント配線基板は、十分にシールされ、水、埃、砂、潤滑油、油、又は、厳しい外部環境状態に曝されると、製品寿命を著しく短くする他の汚染物質が入ることを防止する。
【００８１】
さらに、本発明は、エンジンからもたらされる高振動に耐えるのに十分に頑丈である。ゴム製のグロメットは、水の浸入による汚染のみならず、振動吸収材（vibration dampener）としても機能し、プリント配線基板上のワイヤ接続のためのハンダ接合点を保護する。
【００８２】
本発明は、以下のいくつかの有利な点を有する。
ａ）本発明は、エンドユーザの期待する性能に合致し、かつ、製造者にも経済的である、照光式ハンドルバースイッチモジュールを提供する。
ｂ）頑丈設計は、水、埃、油、潤滑油、又は他の汚染物質が照光用サブアセンブリの内部に入ることを防止することにより、各認証シンボルの下の照光寿命を向上させることをもたらす。
ｃ）照光用サブアセンブリは振動からハンダ接合点を保護することにより、耐用年数の間、ＳＭＤ型ＬＥＤが剥がされるのを防止する。
ｄ）機能シンボルインサートは、認証シンボルが消えたり、腐食したり、色あせたり、はがれるのを防止する。
ｅ）照光式シンボルは、夜間、運転手に視認可能であり、従って、スイッチボタンを分かり易く示すため、運転手に役立つ。
ｆ）リフレクタアセンブリはまた、スイッチの両側及びノブ（knob）から光が漏れることを防止するのに役立つ。
ｇ）本発明は、二輪車の、左側ハンドルバースイッチ及び右側ハンドルバースイッチの美的価値（aesthetic value）を向上させる。
ｈ）シンボルの色を異ならせることは、昼間も夜間も可能である。
ｉ）日中、異なる色のシンボルは、スクリーン印刷の所定の色によって可能である。夜間用に関しては、ＳＭＤ型ＬＥＤの色を変化することによって、又は、バイポーラＳＭＤ型ＬＥＤ（bi-polar SMD based LED）を使用することによって、異なる色のシンボルが得られる。
【図１（ａ）】
0005571703.tif 000002
【図１（ｂ）】
0005571703.tif 000003
【図２（ａ）】
0005571703.tif 000004
【図２（ｂ）】
0005571703.tif 000005
【図４】
0005571703.tif 000006
【図８（ｂ）】
0005571703.tif 000007
【図１０】
0005571703.tif 000008
【図１１】
0005571703.tif 000009
【図１８】
0005571703.tif 000010
【図３（ａ）】
0005571703.tif 000011
【図３（ｂ）】
0005571703.tif 000012
【図５（ａ）】
0005571703.tif 000013
【図５（ｂ）】
0005571703.tif 000014
【図６】
0005571703.tif 000015
【図７】
0005571703.tif 000016
【図８（ａ）】
0005571703.tif 000017
【図９（ａ）】
0005571703.tif 000018
【図９（ｂ）】
0005571703.tif 000019
【図９（ｃ）】
0005571703.tif 000020
【図９（ｄ）】
0005571703.tif 000021
【図９（ｅ）】
0005571703.tif 000022
【図１２】
0005571703.tif 000023
【図１３】
0005571703.tif 000024
【図１４】
0005571703.tif 000025
【図１５】
0005571703.tif 000026
【図１６】
0005571703.tif 000027
【図１７】
0005571703.tif 000028